(57)【要約】      （修正有）【課題】不審な危険源を防爆ボックスに入れ、且つ、その所有者及び危険源の身元情報を確認できるスマート防爆台を提供する。【解決手段】スマート防爆台は、作業台１と、防爆ボックス２と、危険源の認識装置と、身分証明書類用スキャナー７と、表示装置１０と、を含む。作業台の面には、窓口を有し、作業台の下部には、コンピュータ処理システム及び画像記憶システムが搭載される。防爆ボックスは、作業台の窓口の下方に設けられ、防爆ボックスには、昇降プレート及びその支持機構１１が設けられ、昇降プレートには、危険源が載置され、且つ上昇して窓口に入れる。防爆ボックスは、防爆ブランケット４をさらに含む。危険源の認識装置は、危険源の電子身元情報を認識し、これにより危険源のスキャン画像を呼び出し、表示装置に表示する。身分証明書類用スキャナーは、危険源の所有者の身元情報の確認に用いられる。表示装置は、危険源の検査結果を表示する。【選択図】図１
2019105440.tif 000002
【特許請求の範囲】
【請求項１】
スマート防爆台であって、
作業台と、防爆ボックスとを含み、
前記作業台の面には、上下に貫通する窓口有し、
前記防爆ボックスは、上部に開口され、前記窓口の下方に設けられ、前記防爆ボックスには、昇降可能な昇降プレート及び昇降プレートを昇降駆動するための支持機構が設けられ、前記昇降プレートは、危険源を載置するためのものであり、且つ前記窓口に合わせて上昇して前記窓口に入ることができる、
スマート防爆台。
【請求項２】
前記スマート防爆台は、さらに、コンピュータ処理システムと、危険源の認識装置と、表示装置と、を含み、
前記危険源の認識装置は、前記コンピュータ処理システムに電気的に接続され、危険源の電子身元情報を認識し、前記危険源の電子身元情報を前記コンピュータ処理システムに送信し、
前記表示装置は、前記作業台に設けられ、前記コンピュータ処理システムに電気的に接続され、前記危険源のスキャン画像の情報を表示し、
前記コンピュータ処理システムは、危険源の電子身元情報により危険源のスキャン画像を呼び出して、スキャン画像を前記表示装置に表示する、
請求項１に記載のスマート防爆台。
【請求項３】
前記防爆ボックスは、防爆ブランケットをさらに含み、
前記昇降プレートが下降した後、前記防爆ブランケットが前記昇降プレート上の危険源を覆う、
請求項１に記載のスマート防爆台。
【請求項４】
前記スマート防爆台は、録音・録画装置及び画像記憶システムを含み、
前記録音・録画装置は、保安検査場における証拠を収集するために用いられ、
前記画像記憶システムは、録音・録画装置によって収集された証拠を記憶するために用いられる、
請求項１に記載のスマート防爆台。
【請求項５】
前記スマート防爆台は、さらに、身分証明書類用スキャナーを含み、
前記身分証明書類用スキャナーは、危険源の所有者の身元情報を確認し、前記身元情報を前記コンピュータ処理システムに送信する、
請求項２に記載のスマート防爆台。
【請求項６】
前記防爆ボックスは、ＴＮＴ爆薬に耐性のあるオープンの鋼製ボックスであり、前記防爆ボックスの底部には、旋回式キャスターが設けられ、且つ、前記防爆ボックスと作業台との間には、防爆ボックスを作業台に固定するための位置決め装置が設けられる、
請求項１に記載のスマート防爆台。
【請求項７】
前記旋回式キャスターは、輪体が耐荷重の鋼製構造に半分埋め込まれる、
請求項６に記載のスマート防爆台。
【請求項８】
前記支持機構は、昇降プレートの下部の両側にそれぞれ位置する２組のシザースリンク装置及び昇降プレートを駆動するための動力プッシュロッドを含む、
請求項１に記載のスマート防爆台。
【請求項９】
前記昇降プレートの底部に第１レールが設けられ、
前記防爆ボックスの底プレートに第２レールが設けられている、
請求項８に記載のスマート防爆台。
【請求項１０】
各の前記シザースリンク装置は、互いにヒンジ連結されている第１シザースリンクアーム及び第２シザースリンクアームを含み、
前記第１シザースリンクアームは、一端が前記防爆ボックスの底プレートにヒンジ連結され、他端が前記昇降プレートの前記第１レールに摺動可能に接続され、
前記第２シザースリンクアームは、一端が前記昇降プレートの底部にヒンジ連結され、他端が前記防爆ボックスの底プレートの前記第２レールに摺動可能に接続されている、
請求項９に記載のスマート防爆台。
【請求項１１】
前記防爆ボックスの底プレートの前記第２レールに前記昇降プレートの昇降を制限するための位置制限スイッチが設けられている、
請求項１０に記載のスマート防爆台。
【請求項１２】
前記録音・録画装置は、録音・録画ヘッドを含み、前記画像記憶システムは、ハードディスクレコーダーを含み、前記録音・録画ヘッドは、保安検査場における証拠を収集するために用いられ、前記ハードディスクレコーダーは、この録音・録画ヘッドによって収集された証拠を記憶するために用いられる、
請求項４に記載のスマート防爆台。
【請求項１３】
前記防爆ボックスは、前記昇降プレートの昇降動作を手動で制御するための操作スイッチをさらに含む、
請求項１に記載のスマート防爆台。
【請求項１４】
前記防爆ボックスには、この防爆ボックスを牽引するためのフックが設けられる、
請求項１に記載のスマート防爆台。
【請求項１５】
前記位置決め装置は位置決めロックを含み、
前記位置決めロックは機械的ロックである、
請求項６に記載のスマート防爆台。
【請求項１６】
前記危険源の認識装置は、ハンドヘルドＲＦＩＤリーダーを含む、
請求項１に記載のスマート防爆台。
【請求項１７】
前記身分証明書類用スキャナーは、パスポート、身分証明書、搭乗券のうちの少なくとも１つをスキャンするためのスキャナーである、
請求項５に記載のスマート防爆台。
【発明の詳細な説明】
【技術分野】
【０００１】
本発明は、公共の場で保安検査を行うための装置に関し、特に、スマート防爆台に関する。
【背景技術】
【０００２】
空港、税関、駅、桟橋などの公共の場では、爆発、銃撃、テロなどの事件の発生を防止又は阻止するために、危険貨物の点検、移送、防爆の取扱いを行う必要がある。乗客の荷物がＸ線装置又はその他の保安検査装置により検査された後、「不審な荷物」と表記された場合、オープン検査が必要となることが多い。オープン検査の場合、不審な荷物が危険性の高い爆発性荷物であることが発見された場合、その不審な荷物を防爆ボックスに入れてから危険物処分場に移送する必要がある。実際の応用において、従来の防爆ボックスは、体系化又は集積化した操作プラットフォームがなく、情報化処理プラットフォームもないので、危険源及びその所有者の身元などの情報をオンラインで比較することができない。また、危険源を防爆ボックスに速やかに入れることもできない。なお、防爆ボックスのサイズが小さいので、大型の荷物を取り扱うこともできない。このため、作業時間が長くなり、危険因子も増えてしまう。
【０００３】
上述した背景技術の説明における開示された上記情報は、本発明の背景に対する理解を深めるためのものに過ぎなく、当業者に知られている従来技術を構成しない情報を含んでいてもよい。
【発明の概要】
【発明が解決しようとする課題】
【０００４】
本発明は、上記従来技術の欠点を克服し、不審な危険源を防爆ボックスに速やかに入れ、且つ、その所有者及び危険源の身元情報を迅速に確認することができるスマート防爆台を提供することを目的とする。
【０００５】
本発明の他の態様及びメリットは、部分的に以下の記述に記載され、且つ、一部が以下の記述によって明瞭となり、又は、本発明の実践によって得られる。
【課題を解決するための手段】
【０００６】
本発明の一態様によれば、スマート防爆台を提供し、作業台と、防爆ボックスとを含み、前記作業台の面には、上下に貫通する窓口有し、前記防爆ボックスは、上部に開口され、前記窓口の下方に設けられ、前記防爆ボックスには、昇降可能な昇降プレート及び昇降プレートを昇降駆動するための支持機構が設けられ、前記昇降プレートは、危険源を載置するためのものであり、且つ前記窓口に合わせて上昇し前記窓口に入ることができる。
【０００７】
本発明の一態様によれば、前記スマート防爆台は、さらに、コンピュータ処理システムと、危険源の認識装置と、表示装置と、を含み、前記危険源の認識装置は、前記コンピュータ処理システムに電気的に接続され、危険源の電子身元情報を認識し、前記危険源の電子身元情報を前記コンピュータ処理システムに送信し、前記表示装置は、前記作業台に設けられ、前記コンピュータ処理システムに電気的に接続され、前記危険源のスキャン画像の情報を表示し、ここで、前記コンピュータ処理システムは、危険源の電子身元情報により危険源のスキャン画像を呼び出して、スキャン画像を前記表示装置に表示する。
【０００８】
本発明の一態様によれば、前記防爆ボックスは、防爆ブランケットをさらに含み、前記昇降プレートが下降した後、前記防爆ブランケットが前記昇降プレート上の危険源を覆う。
【０００９】
本発明の一態様によれば、前記スマート防爆台は、前記録音・録画装置及び画像記憶システムを含み、前記録音・録画装置は、保安検査場における証拠を収集するために用いられ、前記画像記憶システムは、録音・録画装置によって収集された証拠を記憶するために用いられる。
【００１０】
本発明の一態様によれば、前記スマート防爆台は、さらに、身分証明書類用スキャナーを含み、前記身分証明書類用スキャナーは、危険源の所有者の身元情報を確認し、前記身元情報を前記コンピュータ処理システムに送信する。
【００１１】
本発明の一態様によれば、前記防爆ボックスは、ＴＮＴ爆薬に耐性のあるオープンの鋼製ボックスであり、前記ボックスの底部には、旋回式キャスターが設けられ、且つ、前記防爆ボックスと作業台との間には、防爆ボックスを作業台に固定するための位置決め装置が設けられる。
【００１２】
本発明の一態様によれば、前記旋回式キャスターは、輪体が耐荷重の鋼製構造に半分埋め込まれる。
【００１３】
本発明の一態様によれば、前記支持機構は、昇降プレートの底部の両側にそれぞれ位置する２組のシザースリンク装置及び昇降プレートを駆動するための動力プッシュロッドを含む。
【００１４】
本発明の一態様によれば、前記昇降プレートの底部に第１レールが設けられ、前記防爆ボックスの底プレートに第２レールが設けられている。
【００１５】
本発明の一態様によれば、各の前記シザースリンク装置は、互いにヒンジ連結されている第１シザースリンクアーム及び第２シザースリンクアームを含み、前記第１シザースリンクアームは、一端が前記防爆ボックスの底プレートにヒンジ連結され、他端が前記昇降プレートの前記第１レールに摺動可能に接続され、前記第２シザースリンクアームは、一端が前記昇降プレートの底部にヒンジ連結され、他端が前記防爆ボックスの底プレートの前記第２レールに摺動可能に接続されている。
【００１６】
本発明の一態様によれば、前記防爆ボックスの底プレートの前記第２レールに前記昇降プレートの昇降を制限するための位置制限スイッチが設けられている。
【００１７】
本発明の一態様によれば、前記録音・録画装置は、録音・録画ヘッドを含み、前記画像記憶システムは、ハードディスクレコーダーを含み、前記録音・録画ヘッドは、保安検査場における証拠を収集するために用いられ、前記ハードディスクレコーダーは、この録音・録画ヘッドによって収集された証拠を記憶するために用いられる。
【００１８】
本発明の一態様によれば、前記防爆ボックスは、前記昇降プレートの昇降動作を手動で制御するための操作スイッチをさらに含む。
【００１９】
本発明の一態様によれば、前記防爆ボックスには、この防爆ボックスを牽引するためのフックが設けられる。
【００２０】
本発明の一態様によれば、前記位置決め装置は位置決めロックを含み、前記位置決めロックは機械的ロックである。
【００２１】
本発明の一態様によれば、前記危険源の認識装置はハンドヘルドＲＦＩＤリーダーを含む。
【００２２】
本発明の一態様によれば、前記身分証明書類用スキャナーは、パスポート、身分証明書、搭乗券のうちの少なくとも１つをスキャンするためのスキャナーである。
【発明の効果】
【００２３】
本発明が提供する上記の技術的案によれば、下記のような利点及び有益な効果を奏することができる。
【００２４】
本発明のスマート防爆台は、通常、不審な荷物に対してオープン検査を行うための作業台であり、不審な荷物がオープン検査用台に到着すると、表示システムがその電子情報に応じてこの不審な荷物の電子写真及び不審物の情報を自動的に表示し、電子表示システムがこの不審な荷物を危険性の高い爆発物として表示する場合、保安検査員が操作台上の操作ボタンを押し、防爆台上の昇降プレートが防爆ボックスの底部に自動的に下降し、危険源を防爆ボックスに速やかに隠して防爆ブランケットを迅速に覆うことができる。防爆人員は、この防爆ボックスにおけるフックにより防爆ボックスと移動機構とを速やかに接続し、移動機構により防爆ボックス及び危険源を危険物処分場に移送し、防爆ボックスの底部に位置する旋回式キャスターにより防爆ボックスと地面との摩擦力を低減させ、且つ、危険源の振動を減少させ、録音・録画装置により危険源の検査プロセスの全過程を録音及び録画し、ハンドヘルドＲＦＩＤリーダーと身分証明書類用スキャナーにより所有者の身元を確認し、これにより、危険物の所有者を迅速に確定し、作業者の安全を効果的に確保し、且つ、表示装置における視覚化ウィンドウにより、作業者により全面的な情報サポートを提供することができる。
【００２５】
図面を参照しながら、例示的な実施形態を詳細に説明する。本発明の上記及び他の特徴とメリットは、より明瞭となる。
【図面の簡単な説明】
【００２６】
【図１】本発明の一実施形態に係るスマート防爆台の構造を示す模式図である。
【図２】図１における昇降プレートが下降した後の様子の模式図である。
【図３】図１の平面模式図である。
【図４】図１を別の角度から視た模式図である。
【発明を実施するための形態】
【００２７】
次に、図面を参照しながら、例示的な実施形態をより全面的に説明する。ただし、例示的な実施形態は複数種類の形態で実施することができ、ここに記述する実施形態に限定されない。逆に、これらの実施形態の提供によれば、本開示を全面で完全に、且つ、例示的な実施形態の思想を全面的に当業者に伝達する。図面における同じ図面符号は、同じ又は類似する要素を示すので、それらの詳細な記述が省略される。
【００２８】
図１〜図４に示すように、本発明の実施態様には、スマート防爆台が開示され、前記スマート防爆台は、空港、税関、駅、桟橋などの公共の場において保安検査に使用され、爆発物を隠している可能性のある荷物又はハンドバッグなどの各種危険源を取り扱うために用いられる。このスマート防爆台は、作業台１と、防爆ボックス２と、危険源の認識装置と、身分証明書類用スキャナー７と、コンピュータ処理システムと、画像記憶システムと、録音・録画装置と、表示装置と、を含む。この防爆台は、カバンの画像認識技術と組み合わせて不審なカバンの電子情報を取得することもできる。危険源の認識装置は、好ましくはハンドヘルドＲＦＩＤリーダー６を含むが、これに限定されない。危険源の認識装置は、危険源の所有者の身元情報をコンピュータ処理システムに送信することができる。具体的に、不審な荷物やカバンがＸ線装置又は保安検査ＣＴ装置によりスキャンされて危険源と判定された場合、バーコードが付したラベルが貼り付けられ、当該危険源が作業台に到着した後、ハンドヘルドＲＦＩＤリーダー６で当該バーコードの情報を読み取り、当該危険源の電子身元情報をコンピュータ処理システムに送信する。コンピュータ処理システム及び画像記憶システムは、作業台１の下部に搭載されてもよい。コンピュータ処理システムは、危険源の電子身元情報により危険源のスキャン画像を呼び出して、スキャン画像を表示装置に表示し、画像記憶システムは、録音・録画装置によって収集された証拠を記憶するために用いられる。
【００２９】
作業台１の面には、上下に貫通する窓口が設けられ、この窓口は、一般的に矩形状に設けられる。防爆ボックス２は、作業台１の窓口の下方に設けられる。この防爆ボックス２は、上部に開口するボックスであり、好ましくはＴＮＴ爆薬（トリニトロトルエン）に耐性のあるオープンの鋼製ボックスである。前記防爆ボックス２には、昇降可能な昇降プレート１８及び昇降プレート１８の昇降を駆動するための支持機構が設けられ、この昇降プレート１８は、危険源を載置するためのものであり、そのサイズが作業台１の窓口に合わせる。使用時、この昇降プレート１８は、防爆ボックス２の内部から上昇して窓口に入り、昇降プレート１８の上面が作業台１の面に合わせ、昇降プレートの移動を防ぐように、昇降プレートを位置決め装置によってロックすることができる。
【００３０】
この防爆ボックス２は、昇降プレート１８の昇降動作を手動で制御するための操作スイッチ１７をさらに含む。この操作スイッチ１７は、作業台１の面に設けられ、作業者は、オープン検査の対象となる荷物が危険性の高い爆発物であり、防爆ボックス２に入れられる必要があると考える場合、この操作スイッチ１７における下降ボタンを押し、防爆ボックス２内の昇降機構が動作し、昇降プレート１８を下方に運動させ、昇降プレート１８が防爆ボックス２の下限位置に達すると、自動的に停止する。無線リモコンにより防爆ボックス２の昇降プレート１８の運動を制御することもできる。当該操作スイッチ１７が支持機構に直接（又は無線コントロールにより）電気的に接続され、支持機構の昇降動作を制御する。その接続構成が既知の技術であるため、説明を省略する。
【００３１】
防爆ボックス２は、防爆ブランケット４をさらに含み、この防爆ブランケット４は、好ましくはフレキシブルな防爆ブランケットである。昇降プレート１８が下限位置に下降した場合、この防爆ブランケット４は、昇降プレート１８上の危険源を覆って、危険源の突発的な爆発によって発生する破壊力を低減させることができる。この防爆ブランケット４は、防爆ボックス２の外側壁に設けられ、自動牽引装置又は手動で防爆ボックス２の上部の開口に覆われることにより、危険源を覆う目的を実現する。
【００３２】
ハンドヘルドＲＦＩＤリーダー６は、危険源の電子身元情報を認識するために用いられ、身分証明書類用スキャナー７は、危険源の所有者の身元情報を確認するために用いられ、前記身分証明書類用スキャナー７は、パスポート、身分証明書、又は搭乗券の少なくとも１つをスキャンするためのスキャナーであり、所有者の身元を確認し、又は証明書の真偽を認識し、取得された身元情報をコンピュータ処理システムに送信するために使用されてもよい。
【００３３】
録音・録画装置は、保安検査場における証拠を収集及び記憶するために用いられ、現場作業者のオープン検査のオーディオ及びビデオ資料を記録することができ、録音・録画ヘッド８を含むことができる。画像記憶システムは、ハードディスクレコーダー９を含み、録音・録画ヘッド８は、保安検査場における証拠を収集するために用いられ、前記ハードディスクレコーダー９は、この録音・録画ヘッドによって収集された証拠を記憶するために用いられる。表示装置は、不審な荷物に対する保安検査結果を表示するために用いられ、表示装置１０であってもよく、タブレットＰＣなどの他の装置であってもよい。表示される内容は、ハンドヘルドＲＦＩＤリーダー６によって読み取られた危険源の電子身元情報、身分証明書類用スキャナー７によって取得された情報、危険源のスキャン画像などの情報を含むことができる。コンピュータ処理システムは、危険源の電子身元情報により危険源のスキャン画像を呼び出して、スキャン画像を表示装置１０に表示する。
【００３４】
図１及び図２を参照すると、本実施の形態において、前記支持機構は、昇降プレートの底部の両側に位置する２組のシザースリンク装置及び昇降プレート１８を駆動するための動力プッシュロッド３を含み、当該２組のシザースリンク装置は、昇降プレート１８の下の前後の両側に位置し、対称的に設けられている。ここの前後は２組のシザースリンク装置の相対位置を指し、具体的に、図３に示すように、表示装置１０が身分証明書類用スキャナー７及びハンドヘルドＲＦＩＤリーダー６の前方に位置する。
【００３５】
図２に示すように、本実施形態において、昇降プレートの底部に第１レールが設けられ、防爆ボックスの底プレートに第２レールが設けられ、具体的に、２つの第１レールと２つの第１レールが２組のシザースリンク装置の位置にそれぞれ対応して設けられている。
【００３６】
前記シザースリンク装置は、互いにヒンジ連結されている第１シザースリンクアーム１９１と第２シザースリンクアーム１９２とを含み、ここで、第１シザースリンクアーム１９１は、一端が防爆ボックスの底プレートにヒンジ連結され、他端がピンロール１４で昇降プレートの第１レール１３１に摺動可能に接続され、第２シザースリンクアーム１９２は、一端が昇降プレートの底部にヒンジ連結され、他端がピンロール１４で防爆ボックスの底プレートの前記第２レールに摺動可能に接続されている。
【００３７】
防爆ボックス２のベースプレートには、昇降プレート１８の上昇及び下降の限界位置を制限するための位置制限スイッチ１５が装着されている。動力プッシュロッド３の具体的な構成は、特に限定されないが、電動プッシュロッド、電動シリンダ、液圧プッシュロッド、又は空気圧プッシュロッドであってもよく、滑らかなプッシュロッド又はネジロッドなどの構造であってもよい。昇降プレート１８を昇降させることが可能である限り、シザースリンク装置は、油圧シリンダ又はエアシリンダなどの装置に置換されることも可能である。
【００３８】
防爆ボックス２の底部には、旋回式キャスター１６が設けられ、且つ、防爆ボックス２と作業台１との間には、防爆ボックス２を作業台１に固定するための位置決めロック１２が設けられ、この位置決めロック１２は、自動的に制御可能な電子ロックであってもよく、手動で制御される機械的ロックであってもよい。前記旋回式キャスター１６は、輪体が耐荷重の鋼製構造に半分埋め込まれる。前記防爆ボックス２には、防爆ボックス２を牽引するためのフック５も設けられる。前記フック５を手動で引っ張ったり、ロボットアームと接続してこのロボットアームが自動的に牽引したりすることにより、防爆ボックス２を運動させる。
【００３９】
本発明の実施態様のスマート防爆台の使用過程は以下の通りである。
【００４０】
まず、このスマート防爆台は、不審な荷物の日常検査に使用されるオープン検査用台であり、Ｘ線装置又はその他の保安検査装置によって検査された不審な荷物である危険源を防爆ボックス２の昇降プレート１８に置いてオープン検査を行う。Ｘ線装置又は保安検査ＣＴ装置によりスキャンされて危険源と判定された荷物又はカバンにバーコードを貼り付け、作業者は、ハンドヘルドＲＦＩＤリーダー６により当該バーコードをスキャンしてこの危険源の電子身元情報を読み取り（又は、カバンの画像認識技術によりこの危険源の電子情報を取得し）、コンピュータ処理システムでこの危険源のスキャン画像を呼び出し、身分証明書類用スキャナー７により危険源の所有者の身元情報を取得し、且つハンドヘルドＲＦＩＤリーダー６（又は、カバンの画像認識技術）及び身分証明書類用スキャナー７によって取得された情報を表示器１０に表示して比較を行い、録音・録画装置により危険源に対する処理プロセスをリアルタイムで記録する。
【００４１】
作業者は、危険源の種類に応じて、オープン検査、危険源の処理、又は危険性の高い爆発物の判定を選択することができる。危険源が危険性の高い爆発物であると判断した場合、作業者は、位置決めロック１２を解除して防爆ボックス２の昇降プレート１８を作業台１から離間させ、操作スイッチ１７の下降ボタンを押し、この時、支持機構により昇降プレート１８を下降させて、危険源が防爆ボックス２に入り、昇降プレート１８が下限位置に達すると、自動的に停止し、防爆ブランケット４が防爆ボックス２の上部の開口に覆われる。最後に、作業者は、フック５により防爆ボックスを動力機構に接続し、動力機構により防爆ボックス２を危険物処分場に引っ張って処理を行う。処理終了後、防爆ボックス２を作業台１の下部に移動し、位置決め装置により防爆ボックス２を位置決めし、操作スイッチ１７の上昇ボタンを押し、防爆ボックス２における移動プレート１８が上昇し始め、昇降プレート１８の上面が作業台１の面に合わせると、操作スイッチ１７の上昇ボタンを離し、昇降プレート１８を作業台１にロック装置でロックし、この防爆台は、オープン検査用台としても使用される。
【００４２】
本発明の実施態様に係るスマート防爆台は、危険源を防爆ボックス２に速やかに入れ、危険源の検査プロセスの全過程を録音及び録画し、ハンドヘルドＲＦＩＤリーダー（又は、カバンの画像認識技術）及び身分証明書類用スキャナーにより所有者の身元を確認し、荷物の所有者を迅速に確認し、作業者の安全を効果的に確保し、且つ、表示装置における視覚化ウィンドウにより、作業者により全面的な情報サポートを提供することができる。
【００４３】
以上、本発明の例示的な実施形態を具体的に示しながら説明した。なお、本発明は、開示されている実施形態に限定されるものではなく、むしろ、本発明は、添付した特許請求の精神及び範囲内に含まれる様々な修正や等価配置を含む。
【符号の説明】
【００４４】
１        作業台
２        防爆ボックス
３        動力プッシュロッド
４        防爆ブランケット
５        フック
６        ハンドヘルドＲＦＩＤリーダー
７        身分証明書類用スキャナー
８        録音・録画ヘッド
９        ハードディスクレコーダー
１０      表示装置
１１      支持機構
１２      位置決めロック
１３１    第１レール
１３２    第２レール
１４      ピンロール
１５      位置制限スイッチ
１６      旋回式キャスター
１７      操作スイッチ
１８      昇降プレート
１９１    第一シザースリンクアーム
１９２    第二シザースリンクアーム
【図１】
2019105440.tif 000003
【図２】
2019105440.tif 000004
【図３】
2019105440.tif 000005
【図４】
2019105440.tif 000006
【外国語明細書】
2019105440.tif 000007
2019105440.tif 000008
2019105440.tif 000009
2019105440.tif 000010
2019105440.tif 000011
2019105440.tif 000012
2019105440.tif 000013
2019105440.tif 000014
2019105440.tif 000015
2019105440.tif 000016
2019105440.tif 000017
2019105440.tif 000018